(57)【要約】【課題】画像を入力する際に設定する情報を出力機器の性能とバランスさせることで、画像処理システム全体の総合能力を向上することができるようにする。【解決手段】画像出力装置７に設定された出力設定情報に合わせて、画像入力装置６によって入力される画像に関する入力設定情報を設定し、上記設定された入力設定情報に基づいて画像入力装置６による画像入力を行うように構成することにより、出力機器の性能に合わせた入力を常に行うことが可能となり、画像処理システム全体の総合能力の向上を図ることができるようにするとともに、記憶媒体や時間等の資源の効率化を図ること、及び成果物たる印刷画像の画質を向上できるようにする。【選択図】      図１
2004228794.tif 000002
【特許請求の範囲】
【請求項１】
入力手段に設定された入力設定情報に基づいて画像を入力するとともに、上記入力手段によって入力された画像を、出力手段に設定された出力設定情報に基づいて出力する画像処理システムであって、
上記出力手段に設定された出力設定情報を取得する出力情報取得手段と、
上記出力情報取得手段により取得した出力設定情報に対応する入力設定情報を上記入力手段に設定する入力情報設定手段とを有することを特徴とする画像処理システム。
【発明の詳細な説明】
【０００１】
【発明の属する技術分野】
本発明は、画像処理システムに関し、特に、出力機器に設定された情報を考慮して画像入力を行うために用いて好適なものである。
【０００２】
【従来の技術】
従来の画像処理システムでは、スキャナ等の画像入力機器を用いて画像の入力を行う際には、上記入力機器に標準装備されたドライバソフト等を使って、解像度やカラー／モノクロ等の入力設定情報をユーザが指定する必要があった。また、上記入力設定情報をユーザが行う操作によって任意に変更させずに、システムが設けた所定の入力設定情報を一律に利用して画像入力を行う画像処理システムもあった。
【０００３】
【発明が解決しようとする課題】
ところで、入力画像の解像度を高く設定すると、高解像度化に対応して画像データのサイズが大きくなり、画像データの入出力処理は勿論のこと、各種画像処理の実行速度が遅くなるという問題があった。
また、入力画像と出力画像との間で画像の変倍率が大きくなると、画像の圧縮処理により画質劣化の影響が大きくなって、印刷画像の画質が低下するという問題があった。
【０００４】
例えば、Ａ４サイズの原稿をスキャナから読み込んで、解像度＝１２００ｄｐｉかつ、出力用紙サイズ＝はがきサイズとして設定した条件の下でプリンタにより印刷する場合、上記スキャナの解像度をファイン（＝２０４８ｄｐｉ）に設定するよりも、ラフ（＝５１２ｄｐｉ）に設定する方が、画像入力から画像出力に至る総合処理時間が短縮できるばかりでなく、きれいな印刷物を得ることができる。
【０００５】
このように、画像入力から画像出力に至る画像処理システム全体の総合力を向上するためには、メモリ等の記憶媒体や時間といった資源の効率化とともに、成果物たる印刷画像の画質を考慮して、出力機器の性能に合わせた画像入力を実施することが重要である。
【０００６】
本発明は上述した問題点にかんがみ、出力機器の性能に合わせた入力を常に行うことができる画像処理システムを提供することを目的とする。
【０００７】
【課題を解決するための手段】
本発明の画像処理システムは、入力手段に設定された入力設定情報に基づいて画像を入力するとともに、上記入力手段によって入力された画像を、出力手段に設定された出力設定情報に基づいて出力する画像処理システムであって、上記出力手段に設定された出力設定情報を取得する出力情報取得手段と、上記出力情報取得手段により取得した出力設定情報に対応する入力設定情報を上記入力手段に設定する入力情報設定手段とを有することを特徴としている。
【０００８】
【発明の実施の形態】
以下、本発明の画像処理システムについて、図面を参照しながら詳細に説明する。
図１は本実施の形態における画像処理システム１０の概略構成を示すブロック図である。図１に示すように、画像処理システム１０は、中央処理装置１、記憶装置２、キーボード３、マウス４、ＣＲＴ等の表示装置５、フラットベッドスキャナ等の画像入力装置６、及びプリンタ等の画像出力装置７等より構成されている。
【０００９】
本実施の形態の画像処理システム１０は、上述した専用のハードウェアによって実現されるような構成のみならず、例えば、汎用のパーソナルコンピュータ等により同等の機能が実現されるような構成にも適用可能である。また、上記画像入力装置６及び画像出力装置７は、ローカル接続された状態で用いられる場合のみならず、ネットワーク接続された状態で用いられる場合にも適用可能である。
【００１０】
図２は画像処理システム１０の第１の動作手順を示すフローチャートである。図３（ａ）は入力画像の一例を示す図であり、また図３（ｂ）は出力画像データの一例を示す図である。ここでは、図３（ａ）に示す入力画像を基にして、図３（ｂ）に示す出力画像データを得るための画像処理システム１０の動作フローを説明する。
【００１１】
図２に示すステップＳ１１にて、中央処理装置１は画像出力装置７の出力設定情報（例えば、解像度・出力用紙サイズ・出力用紙上の上下左右における余白量・１枚の出力用紙当たりにレイアウトされるページ数等）を読み出して、記憶装置２に保存する。
【００１２】
上記図３（ｂ）に示した出力画像データの例においては、解像度＝１２００ｄｐｉ、出力用紙サイズ＝Ａ４（２１０×２９７ｍｍ）、出力用紙上の上下左右における余白量＝０ｍｍ、及び１枚の出力用紙当たりにレイアウトされるページ数＝４、に設定されているとする。
【００１３】
次に、ステップＳ１２にて、中央処理装置１は画像入力装置６の入力設定情報を読み出して、解像度及び原稿サイズを記憶装置２に保存する。上記図３（ａ）に示した入力画像の例においては、原稿用紙サイズ＝Ｌ版（８９×１２７ｍｍ）であり、解像度＝ファイン（２０４８ｄｐｉ）が設定されているとする。
【００１４】
次に、ステップＳ１３にて、上記ステップＳ１１及びステップＳ１２でそれぞれ得られた出力設定情報及び入力設定情報に基づいて、中央処理装置１は画像入力装置６における最適な解像度（下式▲３▼）を、以下に示す手順により算出する。
【００１５】
上記図３（ｂ）に示した出力画像データ上で、１枚の画像（ページ）が占める領域サイズ＝１０５×１４８．５ｍｍ                                            ……▲１▼
図３（ａ）に示した入力画像（８９×１２７ｍｍ）を、上記▲１▼に示す領域サイズに引き伸ばすときの縮尺＝Ｍａｘ（１０５÷８９，１４８．５÷１２７）＝１．１７……▲２▼
出力設定情報の解像度（１２００ｄｐｉ）を満足するため、入力画像に要求される解像度＝１２００×１．１７＝１４０４ｄｐｉ                                ……▲３▼
【００１６】
次に、ステップＳ１４にて、中央処理装置１は、記憶装置２に保存した入力設定情報に予め設定されていた解像度と、上式▲３▼より算出される最適解像度とを比較する。上記比較の結果、両者の解像度に違いがある場合には、上式▲３▼で算出される最適解像度を用いて、画像入力装置６から画像を入力する。
【００１７】
次に、ステップＳ１５にて、ステップＳ１１で読み出した出力設定情報に基づいて、中央処理装置１は記憶装置２上に出力画像データを仮想的に作成する。そして、上記仮想的に作成した出力画像データ中の画像配置部分に、ステップＳ１４で入力した画像を配置して出力画像データを生成し、これを画像出力装置７に転送する。ステップＳ１６にて、画像出力装置７は上記出力画像データを受信して印刷を行う。
【００１８】
図４は、画像処理システム１０の第２の動作手順を示すフローチャートである。図４のフローチャートに示す第２の動作手順を、図５（ａ）〜図５（ｃ）を用いて以下に説明する。
【００１９】
図５（ａ）は入力画像のテンプレート、図５（ｂ）は入力画像とそのトリミング範囲、及び図５（ｃ）は出力画像データの各一例を示した図である。ここでは、図５（ｂ）に示す入力画像を図５（ａ）に示すテンプレートに挿入して、図５（ｃ）に示す出力画像データを得るための画像処理システム１０の動作手順を説明する。
【００２０】
先ず、ステップＳ２１にて、中央処理装置１は画像出力装置７の出力設定情報（例えば、解像度・出力用紙サイズ・出力用紙上の上下左右における余白量・１枚の出力用紙当たりにレイアウトされるページ数等）を読み出して、記憶装置２に保存する。
【００２１】
図５（ｃ）に示した出力画像の例においては、出力用紙サイズ＝Ａ４（２１０×２９７ｍｍ）、出力用紙上の上下左右における余白量＝０ｍｍ、１枚の出力用紙当たりにレイアウトされるページ数＝１であり、解像度には１２００ｄｐｉが設定されていたとする。
【００２２】
次に、ステップＳ２２にて、中央処理装置１は画像入力装置６の入力設定情報を読み出して、解像度及び原稿サイズを記憶装置２に保存する。図５（ｂ）に示した入力画像の例においては、原稿用紙サイズ＝Ｌ版（１２７×８９ｍｍ）であり、解像度＝ファイン（２０４８ｄｐｉ）が設定されているとする。
【００２３】
ステップＳ２３にて、中央処理装置１は記憶装置２に保存したテンプレートの情報を読み出して、入力画像を納める画像スロットのサイズを取得する。図５（ａ）に示した入力画像のテンプレートの例においては、テンプレートサイズ＝Ａ４（２１０×２９７ｍｍ）、画像スロットサイズ＝（２００×２５０ｍｍ）であるとする。
【００２４】
ステップＳ２４にて、中央処理装置１は上記ステップＳ２１〜ステップＳ２３で取得した出力設定情報、入力設定情報、及びテンプレート情報に基づいて、出力画像データのテンプレート上で入力画像が占める表示範囲の比を算出する。
【００２５】
そのために、先ず、入力画像のトリミングサイズを設定する。本実施の形態では、図５（ａ）に示したテンプレートにおける画像スロットサイズは、横方向のスロットサイズよりも縦方向のスロットサイズが大きい。このため、図５（ｂ）に示した入力画像の原稿上のトリミングサイズ（ｘ，ｙ）の縦横比は、画像スロットサイズ（Ｘ，Ｙ）の縦横比と等しくするとともに、上記原稿上の縦サイズが最大になるようにして、上述した縦長の画像スロットを有効活用することが望ましい。そこで、本実施の形態においてはトリミングサイズ（ｘ，ｙ）を次のようにして求めるようにしている。
【００２６】
すなわち、図５（ｂ）に示したＬ版サイズ（１２７×８９ｍｍ）の入力画像と、図５（ａ）に示した画像スロットサイズ（２００×２５０ｍｍ）とより、縦長の画像スロットを有効活用した入力画像におけるトリミングサイズ（ｘ，ｙ）の横サイズｘは、
ｘ：８９．０＝２００：２５０
より、ｘ＝７１．２となる。すなわち、以下の式▲４▼及び式▲５▼となる。
原稿上のトリミングサイズ（ｘ，ｙ）＝（７１．２，８９．０）    ……▲４▼
画像スロットのサイズ＝（２００，２５０）                    ……▲５▼
【００２７】
次に、上記▲４▼に示したトリミングサイズを、上記▲５▼に示した画像スロットサイズに引き伸ばすときの縮尺は、下式▲６▼により求める。
Ｍａｘ（２００÷７１．２，２５０÷８９）＝２．８０            ……▲６▼
【００２８】
そして、画像出力装置７の出力情報である出力の解像度（１２００ｄｐｉ）を満足するための入力画像の最適解像度を、上記▲６▼により算出した縮尺値を用いて下式▲７▼より算出する。
入力画像の最適解像度＝１２００×２．８０＝３３６０ｄｐｉ        ……▲７▼
【００２９】
ステップＳ２５にて、中央処理装置１は、記憶装置２に保存した入力設定情報に予め設定されていた解像度と、上式▲７▼より算出される最適解像度とを比較する。上記比較の結果、両者の解像度に違いがある場合、中央処理装置１は入力画像の解像度を上記最適解像度に変更する。
【００３０】
ステップＳ２６にて、上式▲７▼より算出される最適解像度を用いて、画像入力装置６から画像を入力する。
【００３１】
ステップＳ２７にて、ステップＳ２１で取得した出力設定情報に基づいて、中央処理装置１は、出力画像データを記憶装置２上に仮想的に作成して作成した仮想データの中にＳ２３で読み出したテンプレートを配置する。
さらに、そのテンプレート中の画像スロット部にステップＳ２６で入力した画像を配置することで出力画像データを生成し、これを画像出力装置７に転送する。ステップＳ２８にて、画像出力装置７は上記出力画像データを受信して印刷を行う。
【００３２】
図６は、上述した画像処理システム１０において、画像入力装置６の入力設定情報を変更するか否かを切り替えるためのＧＵＩの一例を示した図である。
【００３３】
例えば、画像出力装置７に対応して入力設定情報が自動的に設定し直されるようにする場合には、図６に示すボタン６１をチェックする。これにより、上述したように「出力設定情報」または「出力設定情報及び出力用紙に対する入力画像の表示範囲比」に応じて入力設定情報が変更される。
【００３４】
これに対して、上述したような入力設定情報の自動変更を行わずに、画像入力装置６において元から保持している入力設定情報が使用されるようにする場合には、図６に示すボタン６２をチェックする。
【００３５】
このように、画像出力装置７の性能に合わせて自動的に設定する解像度を用い、画像を入力するようにするか否かを、ユーザによって柔軟に切り替えることが可能になり、ユーザの多様な好みを反映できるようになる。
なお、図６に示したＧＵＩのデザイン構成は一例に過ぎず、これに限られないことは言うまでもない。
【００３６】
画像処理システムによっては、入力画像の解像度は、所定の値を有する標準解像度を常に使用するというように構成したい場合がある。このような場合は、図６に示した入力設定情報を利用するか否かの選択肢をさらに拡張してボタン６１及びボタン６２の他に、例えば、「プリンタに依存した入力設定」、「システムが用意する標準設定」、「入力装置本来のドライバによる設定」のように、３つの切替えボタンの中から設定できるようにしてもよい。
【００３７】
また、図２で示したステップＳ１４、及び図４で示したステップＳ２６における動作手順の説明においては、上記▲３▼式で算出した最適解像度或いは上記▲７▼式で算出した最適解像度をそのまま用いて、画像の入力を実施するようにしたがこれに限らない。
【００３８】
例えば、画像入力装置６によっては、解像度の選択にあたり、予め定められた何段階かの規格解像度の中からしか選択できない場合もあるが、この場合、上記▲３▼式または▲７▼式で算出される最適解像度を設定することができない。上記のような画像入力装置６の場合は、上記▲３▼式或いは▲７▼式に最も近い解像度を有する規格解像度を選択して画像入力が行われるようにする。
【００３９】
また、上述した画像処理システムの動作説明では解像度の設定を主にした動作を示したが、本発明はこれに限られず、例えば、カラー／モノクロ設定等を変更するための動作にも応用できるものである。
【００４０】
また、上述した画像処理システムでは、入力画像が１つの場合を例にして説明したが、入力画像が複数の場合にも適用可能である。例えば、予め定められた規約またはルールに基づいて、複数枚の入力画像をレイアウトする機構を有する装置やシステムにも適用可能である。
【００４１】
上記複数枚の入力画像をレイアウトする機構を有する装置等では、テンプレート内の画像スロットに挿入する各画像の挿入順序を定めておくというルールを予め設けて、その定められた挿入順序に従って入力画像を配置していくような動作が行われることになる。また、すべての入力画像を定型サイズで印刷するような装置またはシステムにも、入力する複数枚の各画像に対して本発明を適用することができる。
【００４２】
また、上述した本実施の形態の画像処理システムの機能を実現するソフトウェアのプログラムコードを記憶した記憶媒体を、システム或いは装置に供給し、そのシステム或いは装置のコンピュータシステム（またはＣＰＵやＭＰＵ）が記憶媒体に格納されたプログラムコードを読み出して実行することによっても、達成されることは言うまでもない。
【００４３】
この場合、記憶媒体から読み出されたプログラムコード自体が本実施の形態の機能を実現することとなり、そのプログラムコードを記憶した記憶媒体及び当該プログラムコードは本発明を構成することとなる。
【００４４】
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリーカード等を用いることができる。
また、コンピュータシステムが読み出したプログラムコードを実行することにより、本実施の形態の機能が実現されるだけでなく、そのプログラムコードの指示に基づき、コンピュータシステム上で稼動しているＯＳ等が実際の処理の一部または全部を行い、その処理によって本実施の形態の機能が実現される場合も含まれることは言うまでもない。
【００４５】
さらに、記憶媒体から読み出されたプログラムコードが、コンピュータシステムに挿入された拡張機能ボードやコンピュータシステムに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって本実施の形態の機能が実現される場合も含まれることは言うまでもない。
【００４６】
図７は、上述した実施の形態におけ中央処理装置１を構成可能なコンピュータシステムの内部構成を示すブロック図である。中央処理装置１は図７に示すようなコンピュータ機能７００を有しており、そのＣＰＵが所定のプログラムを読み出して実行することで、本実施の形態における画像処理を実施する。
コンピュータシステム７００は、上記図７に示すように、ＣＰＵ７０１と、ＲＯＭ７０２と、ＲＡＭ７０３と、キーボード（ＫＢ）７０９のキーボードコントローラ（ＫＢＣ）７０５と、表示部としてのＣＲＴディスプレイ（ＣＲＴ）７１０のＣＲＴコントローラ（ＣＲＴＣ）７０６と、ハードディスク（ＨＤ）７１１及びフレキシブルディスク（ＦＤ）７１２のディスクコントローラ（ＤＫＣ）７０７と、ネットワーク７２０との接続のためのネットワークインターフェースコントローラ（ＮＩＣ）７０８とが、システムバス７０４を介して互いに通信可能に接続された構成としている。
【００４７】
ＣＰＵ７０１は、ＲＯＭ７０２或いはＨＤ７１１に記憶されたソフトウェア、或いはＦＤ８１２より供給されるソフトウェアを実行することで、システムバス８０４に接続された各構成部を総括的に制御する。
すなわち、ＣＰＵ７０１は、所定の処理シーケンスに従った処理プログラムを、ＲＯＭ７０２、或いはＨＤ７１１、或いはＦＤ７１２から読み出して実行することで、本実施の形態での動作を実現するための制御を行う。
【００４８】
ＲＡＭ７０３は、ＣＰＵ７０１の主メモリ或いはワークエリア等として機能する。
ＫＢＣ７０５は、ＫＢ７０９や図示していないポインティングデバイス等からの指示入力を制御する。
ＣＲＴＣ７０６は、ＣＲＴ７１０の表示を制御する。
ＤＫＣ７０７は、ブートプログラム、種々のアプリケーション、編集ファイル、ユーザファイル、ネットワーク管理プログラム、及び本実施の形態における所定の処理プログラム等を記憶するＨＤ７１１及びＦＤ７１２とのアクセスを制御する。
ＮＩＣ７０８は、ネットワーク７２０上の装置或いはシステムと双方向にデータをやりとりする。
【００４９】
本発明の実施態様の例を以下に列挙する。
〔実施態様１〕入力手段に設定された入力設定情報に基づいて画像を入力するとともに、上記入力手段によって入力された画像を、出力手段に設定された出力設定情報に基づいて出力する画像処理システムであって、上記出力手段に設定された出力設定情報を取得する出力情報取得手段と、上記出力情報取得手段により取得した出力設定情報に対応する入力設定情報を上記入力手段に設定する入力情報設定手段とを有することを特徴とする画像処理システム。
【００５０】
〔実施態様２〕出力手段の出力設定情報を読み出す出力設定情報読み出し手段と、
入力手段の入力設定情報を読み出す入力設定情報読み出し手段と、
上記出力設定情報読み出し手段により読み出された出力設定情報に応じて、上記入力設定情報読み出し手段で読み出された入力設定情報を設定する情報設定手段と、
上記情報設定手段により設定された入力設定情報を使って、画像を入力する画像入力手段と、
上記画像入力手段により入力された画像を、上記出力設定情報を使って印刷する印刷手段とを有することを特徴とする画像処理システム。
【００５１】
〔実施態様３〕上記画像入力手段により入力された画像が用紙内にレイアウトされるときの用紙範囲と、上記入力された画像の表示領域を示すトリミング範囲との相対比を示す情報を算出する相対比算出手段を有し、
上記情報設定手段は、上記出力設定情報または上記相対比算出手段で算出された相対比情報の少なくとも何れか１つの情報に応じて、上記入力設定情報を設定することを特徴とする実施態様２に記載の画像処理システム。
【００５２】
〔実施態様４〕上記出力設定情報または上記相対比情報の少なくとも何れか１つの情報に応じて、上記入力設定情報の設定を行うか、或いは上記入力設定情報の設定を行わずに上記入力手段に設定されていた元々の入力設定情報を使用するかの少なくとも何れかを選択する選択手段を有することを特徴とする実施態様３に記載の画像処理システム。
【００５３】
〔実施態様５〕入力手段に設定された入力設定情報に基づいて画像を入力するとともに、上記入力手段によって入力された画像を、出力手段に設定された出力設定情報に基づいて出力する画像処理装置であって、上記出力手段に設定された出力設定情報を取得する出力情報取得手段と、上記出力情報取得手段により取得した出力設定情報に対応する入力設定情報を上記入力手段に設定する入力情報設定手段とを有することを特徴とする画像処理装置。
【００５４】
〔実施態様６〕出力手段の出力設定情報を読み出す出力設定情報読み出し手段と、入力手段の入力設定情報を読み出す入力設定情報読み出し手段と、上記出力設定情報読み出し手段により読み出された出力設定情報に応じて、上記入力設定情報読み出し手段で読み出された入力設定情報を設定する情報設定手段と、上記情報設定手段により設定された入力設定情報を使って、画像を入力する画像入力手段と、上記画像入力手段により入力された画像を、上記出力設定情報を使って印刷する印刷手段とを有することを特徴とする画像処理装置。
【００５５】
〔実施態様７〕入力手段に設定された入力設定情報に基づいて画像を入力するとともに、上記入力手段によって入力された画像を、出力手段に設定された出力設定情報に基づいて出力する画像処理方法であって、上記出力手段に設定された出力設定情報を取得する出力情報取得手順と、上記出力情報取得手順により取得した出力設定情報に対応する入力設定情報を上記入力手段に設定する入力情報設定手順とを有することを特徴とする画像処理方法。
【００５６】
〔実施態様８〕出力手段の出力設定情報を読み出す出力設定情報読み出し手順と、入力手段の入力設定情報を読み出す入力設定情報読み出し手順と、上記出力設定情報読み出し手順により読み出された出力設定情報に応じて、上記入力設定情報読み出し手順で読み出された入力設定情報を設定する情報設定手順と、上記情報設定手順により設定された入力設定情報を使って、画像を入力する画像入力手順と、上記画像入力手順により入力された画像を、上記出力設定情報を使って印刷する印刷手順とを有することを特徴とする画像処理方法。
【００５７】
〔実施態様９〕入力手段に設定された入力設定情報に基づいて画像を入力するとともに、上記入力手段によって入力された画像を、出力手段に設定された出力設定情報に基づいて出力する画像処理方法を実行するためのコンピュータプログラムであって、上記出力手段に設定された出力設定情報を取得する出力情報取得手順と、上記出力情報取得手順により取得した出力設定情報に対応する入力設定情報を上記入力手段に設定する入力情報設定手順とを有することを特徴とするコンピュータプログラム。
【００５８】
〔実施態様１０〕出力手段の出力設定情報を読み出す出力設定情報読み出し手順と、入力手段の入力設定情報を読み出す入力設定情報読み出し手順と、上記出力設定情報読み出し手順により読み出された出力設定情報に応じて、上記入力設定情報読み出し手順で読み出された入力設定情報を設定する情報設定手順と、上記情報設定手順により設定された入力設定情報を使って、画像を入力する画像入力手順と、上記画像入力手順により入力された画像を、上記出力設定情報を使って印刷する印刷手順とをコンピュータに実行させるためのプログラム。
【００５９】
〔実施態様１１〕実施形態９または１０に記載のプログラムを記録したことを特徴とするコンピュータ読み取り可能な記録媒体
【００６０】
【発明の効果】
以上説明したように、本発明によれば、出力手段に設定された出力設定情報に合わせて、入力手段によって入力する画像に関する入力設定情報を設定し、上記設定した入力設定情報に基づいて画像入力を行うように構成したので、出力性能に合わせた入力を常に行うことが可能となり、画像入力から画像出力に至る画像処理全体の総合能力の向上を図ることができる。また、メモリ等の記憶媒体や時間といった資源の効率化を行うとともに、成果物たる印刷画像の画質を考慮した入力設定情報の変更を行うようにすることができ、出力手段の性能に合わせた画像入力を実施することができる。
【図面の簡単な説明】
【図１】本発明の画像処理システムの概略構成を示すブロック図である。
【図２】本発明の画像処理システムの第１の動作手順を示すフローチャートである。
【図３】本発明の画像処理システムの第１の動作手順を説明するための入力画像及び出力画像データの一例を示した図である。
【図４】本発明の画像処理システムの第２の動作手順を示すフローチャートである。
【図５】本発明の画像処理システムの第２の動作を説明するための入力画像及び出力画像データ等の一例を示した図である。
【図６】入力設定情報を利用するか否かの選択をユーザ操作によって切り替えるためのＧＵＩの一例を示した図である。
【図７】本発明の画像処理システムを構成可能なコンピュータシステムの内部構成の例を示す図である。
【符号の説明】
１  中央処理装置
２  記憶装置
３  キーボード
４  マウス
５  表示装置（ＣＲＴ）
６  画像入力装置（フラットベッドスキャナ）
７  画像出力装置（プリンタ）
【図１】
2004228794.tif 000003
【図２】
2004228794.tif 000004
【図３】
2004228794.tif 000005
【図４】
2004228794.tif 000006
【図５】
2004228794.tif 000007
【図６】
2004228794.tif 000008
【図７】
2004228794.tif 000009